(57)【要約】【課題】本発明は、ネットワーク試験を行うネットワーク試験装置において、ネットワーク試験のための通信環境の設定項目を減らして簡単にすることを目的とする。【解決手段】本発明は、装置間インタフェースとして規格化された伝送信号の種類を表示する伝送信号表示手順と、伝送信号表示手順で表示した伝送信号の種類の１つが選択されると、選択された種類の伝送信号に載せることの可能なクライアント信号の種類を、表示部に表示するクライアント信号表示手順と、クライアント信号表示手順で表示したクライアント信号の種類の１つが選択されると、選択された伝送信号及びクライアント信号で特定される通信環境を構築し、当該通信環境を用いてネットワーク試験を行う試験手順と、を順に有する。【選択図】図１
2014183429.tif 000002
【特許請求の範囲】
【請求項１】
装置間インタフェースとして規格化された伝送信号の種類を表示する表示部（１３）と、
前記表示部に表示されている伝送信号の種類の１つが選択されると、選択された種類の伝送信号に載せることの可能なクライアント信号の種類を、前記表示部に表示する表示制御部と、
前記表示部に表示されているクライアント信号の種類の１つが選択されると、選択された伝送信号及びクライアント信号で特定される通信環境を構築し、当該通信環境を用いてネットワーク試験を行う試験制御部と、
を備えるネットワーク試験装置。
【請求項２】
前記表示制御部は、選択された伝送信号及びクライアント信号の組み合わせで定められる多重化パラメータの種類を、さらに前記表示部に表示し、
前記表示部に表示されている多重化パラメータの種類の１つが選択されると、前記試験制御部は、選択された伝送信号、クライアント信号及び多重化パラメータで特定される通信環境を構築し、当該通信環境を用いてネットワーク試験を行う、
ことを特徴とする請求項１に記載のネットワーク試験装置。
【請求項３】
前記多重化パラメータは、クライアント信号のマッピング方式であることを特徴とする請求項２に記載のネットワーク試験装置。
【請求項４】
前記表示制御部は、クライアント信号の種類を、多重化数と共に表示することを特徴とする請求項１から３のいずれかに記載のネットワーク試験装置。
【請求項５】
装置間インタフェースとして規格化された伝送信号の種類を表示する伝送信号表示手順と、
前記伝送信号表示手順で表示した伝送信号の種類の１つが選択されると、選択された種類の伝送信号に載せることの可能なクライアント信号の種類を、表示部に表示するクライアント信号表示手順と、
前記クライアント信号表示手順で表示したクライアント信号の種類の１つが選択されると、選択された伝送信号及びクライアント信号で特定される通信環境を構築し、当該通信環境を用いてネットワーク試験を行う試験手順と、
を順に有するネットワーク試験方法。
【請求項６】
選択された伝送信号及びクライアント信号の組み合わせで定められる多重化パラメータの種類を表示する多重化パラメータ表示手順を、前記クライアント信号表示手順と前記試験手順の間にさらに有し、
前記多重化パラメータ表示手順で表示した多重化パラメータの種類の１つが選択されると、前記試験手順において、選択された伝送信号、クライアント信号及び多重化パラメータで特定される通信環境を構築し、当該通信環境を用いてネットワーク試験を行う
ことを特徴とする請求項５に記載のネットワーク試験方法。
【請求項７】
前記多重化パラメータは、クライアント信号のマッピング方式であることを特徴とする請求項６に記載のネットワーク試験方法。
【請求項８】
前記クライアント信号表示手順において、クライアント信号の種類を、多重化数と共に表示することを特徴とする請求項５から７のいずれかに記載のネットワーク試験方法。
【発明の詳細な説明】
【技術分野】
【０００１】
本発明は、ネットワーク試験装置及びネットワーク試験方法に関する。
【背景技術】
【０００２】
ネットワーク試験を行う際、測定対象と通信を行う信号を生成する。ＯＴＮ（Ｏｐｔｉｃａｌ  Ｔｒａｎｓｐｏｒｔ  Ｎｅｔｗｏｒｋ）の試験を行う場合には、ＯＴＵ（Ｏｐｔｉｃａｌ−ｃｈａｎｎｅｌ  Ｔｒａｎｓｐｏｒｔ  Ｕｎｉｔ）やそこに収容するクライアント信号などの試験を行う通信環境を設定する必要がある。
【０００３】
一方で、使用目的によって多様な伝送レーン数を有する光モジュールを選択しても、同一逆多重化方式を使って多重レーン用信号を送信及び受信するための技術が提案されている（例えば、特許文献１参照。）。
【先行技術文献】
【特許文献】
【０００４】
【特許文献１】特開２０１０−１４８１０４号公報
【発明の概要】
【発明が解決しようとする課題】
【０００５】
ネットワーク構成が多様化し、試験を行う通信環境の設定項目が増えると共に設定方法が複雑化している。特にＯＴＮについては、ＯＴＵとクライアント信号の組み合わせやクライアント信号のマッピングに用いられるマッピング方法の組み合わせが複雑化している。
【０００６】
特許文献１の発明は、ＯＴＵとクライアント信号の組み合わせやクライアント信号のマッピングに用いられるマッピング方法の組み合わせを、ユーザが考慮して設定しなければならない。このため、ネットワーク試験のための通信環境を設定しようとすると、設定項目が多くかつ設定方法が複雑になる問題がある。
【０００７】
そこで、本発明は、ネットワーク試験を行うネットワーク試験装置において、ネットワーク試験のための通信環境の設定項目を減らして簡単にすることを目的とする。
【課題を解決するための手段】
【０００８】
本願発明のネットワーク試験装置は、
装置間インタフェースとして規格化された伝送信号の種類を表示する表示部（１３）と、
前記表示部に表示されている伝送信号の種類の１つが選択されると、選択された種類の伝送信号に載せることの可能なクライアント信号の種類を、前記表示部に表示する表示制御部と、
前記表示部に表示されているクライアント信号の種類の１つが選択されると、選択された伝送信号及びクライアント信号で特定される通信環境を構築し、当該通信環境を用いてネットワーク試験を行う試験制御部と、
を備える。
【０００９】
本願発明のネットワーク試験装置では、
前記表示制御部は、選択された伝送信号及びクライアント信号の組み合わせで定められる多重化パラメータの種類を、さらに前記表示部に表示し、
前記表示部に表示されている多重化パラメータの種類の１つが選択されると、前記試験制御部は、選択された伝送信号、クライアント信号及び多重化パラメータで特定される通信環境を構築し、当該通信環境を用いてネットワーク試験を行ってもよい。
【００１０】
本願発明のネットワーク試験装置では、前記多重化パラメータは、クライアント信号のマッピング方式であってもよい。
【００１１】
本願発明のネットワーク試験装置では、前記表示制御部は、クライアント信号の種類を、多重化数と共に表示してもよい。
【００１２】
本願発明のネットワーク試験方法は、
装置間インタフェースとして規格化された伝送信号の種類を表示する伝送信号表示手順と、
前記伝送信号表示手順で表示した伝送信号の種類の１つが選択されると、選択された種類の伝送信号に載せることの可能なクライアント信号の種類を、表示部に表示するクライアント信号表示手順と、
前記クライアント信号表示手順で表示したクライアント信号の種類の１つが選択されると、選択された伝送信号及びクライアント信号で特定される通信環境を構築し、当該通信環境を用いてネットワーク試験を行う試験手順と、
を順に有する。
【００１３】
本願発明のネットワーク試験方法では、
選択された伝送信号及びクライアント信号の組み合わせで定められる多重化パラメータの種類を表示する多重化パラメータ表示手順を、前記クライアント信号表示手順と前記試験手順の間にさらに有し、
前記多重化パラメータ表示手順で表示した多重化パラメータの種類の１つが選択されると、前記試験手順において、選択された伝送信号、クライアント信号及び多重化パラメータで特定される通信環境を構築し、当該通信環境を用いてネットワーク試験を行ってもよい。
【００１４】
本願発明のネットワーク試験方法では、前記多重化パラメータは、クライアント信号のマッピング方式であってもよい。
【００１５】
本願発明のネットワーク試験方法では、前記クライアント信号表示手順において、クライアント信号の種類を、多重化数と共に表示してもよい。
【発明の効果】
【００１６】
本発明によれば、ネットワーク試験を行うネットワーク試験装置において、ネットワーク試験のための通信環境の設定項目を減らして簡単にすることができる。
【図面の簡単な説明】
【００１７】
【図１】実施形態に係るネットワーク試験装置の構成の一例を示す。
【図２】本実施形態に係る通信環境の設定項目の一例を示す。
【図３】伝送信号の種類の表示例を示す。
【図４】クライアント信号の種類の表示例を示す。
【図５】第１の多重化パラメータの種類の表示例を示す。
【図６】ＰＴ＝０ｘ２０の説明図である。
【図７】ＰＴ＝０ｘ２１の説明図である。
【図８】第２の多重化パラメータの種類の表示例を示す。
【図９】実施例１及び実施例２に係る表示例を示す。
【図１０】実施例３及び実施例４に係る表示例を示す。
【発明を実施するための形態】
【００１８】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００１９】
（実施形態１）
図１に、本実施形態に係るネットワーク試験装置の構成例を示す。本実施形態に係るネットワーク試験装置９１は、試験対象となる通信装置９２と通信を行うことで、通信装置９２の試験を行う。
【００２０】
ネットワーク試験装置９１は、通信装置９２との間で通信を行う通信環境を設定するための構成を備える。例えば、ネットワーク試験装置９１は、入力部１１と、信号処理部１２と、表示部１３と、を備える。
【００２１】
信号処理部１２は、表示制御部として機能する。すなわち、信号処理部１２は、伝送信号の種類を表示部１３のコンボボックスＢ１に表示する。また、信号処理部１２は、表示部１３に表示されている伝送信号の種類の１つが選択されると、選択された種類の伝送信号に載せることの可能なクライアント信号の種類を、表示部１３のコンボボックスＢ２に表示する。
【００２２】
入力部１１は、キーボードやタッチパネルなどのネットワーク試験装置９１のユーザの入力手段であり、特に本実施形態では、表示部１３に表示された設定項目を選択する。入力部１１が設定項目を選択することで、測定対象となるネットワークのマッピングを設定し、ネットワーク試験を行う通信環境を設定する。
【００２３】
信号処理部１２は、試験制御部として機能する。すなわち、信号処理部１２は、入力部１１から選択された通信環境を構築し、当該通信環境を用いてネットワーク試験を行う。ネットワーク試験は、通信装置９２へ信号を送信することで通信装置９２の試験を行ってもよいし、通信装置９２に信号を送信せずに通信装置９２からの信号を受信することで通信装置９２の試験を行ってもよいし、通信装置９２へ信号を送信して通信装置９２からの信号を受信することで通信装置９２の試験を行ってもよい。
【００２４】
図２に、本実施形態に係る通信環境の設定項目の一例を示す。ＯＴＮのマッピングは図２のような階層構造になっており、経路に沿って決まった順番で選んでいかないと、目的の通信環境を設定することができない。選択すべき経路は複雑であり、すべての選択肢を出した場合、Ｄｅｐｅｎｄｅｎｃｙの計算が非常に複雑になる。一方で、選択肢を限定した場合、目的の組み合わせにたどり着くのが難しくなる。そこで、本発明では、設定項目を伝送信号、クライアント信号、多重化パラメータ１及び多重化パラメータ２に分けた。全ての項目を必ず選択しなければならないわけではなく、伝送信号及びクライアント信号を選択するだけでも通信環境の設定は可能な場合がある。そこで、本実施形態では、通信環境として伝送信号及びクライアント信号を設定する場合について説明する。
【００２５】
図２中の略語の意義は以下のとおりである。
ＡＭＰ（Ａｓｙｎｃｈｒｏｎｏｕｓ  Ｍａｐｐｉｎｇ  Ｐｒｏｃｅｄｕｒｅ）：クライアント信号とＯＰＵのクロックがずれた状態でマッピングする。ずれた分はスタッフィングで調整する。
ＢＭＰ（Ｂｉｔ−ｓｙｎｃｈｒｏｎｏｕｓ  Ｍａｐｐｉｎｇ  Ｐｒｏｃｅｄｕｒｅ）：クライアント信号とＯＰＵのクロックを同期してマッピングする。
ＧＭＰ（Ｇｅｎｅｒｉｃ  Ｍａｐｐｉｎｇ  Ｐｒｏｃｅｄｕｒｅ）：多様なクライアントに対応するため、また将来出現する新規クライアントへ対応できるようにするため、ペイロード容量以下の任意のビットレートのクライアント信号を収容できるようにするマッピング方式。
Ｆｉｘｅｄ  ＳｔｕｆｆとＪｕｓｔｉｆｉｃａｔｉｏｎ  Ｏｐｐｏｒｔｕｎｉｔｙを統合し、ペイロード領域にデータとスタッフを分散配置する。スタッフィングの位置を固定しない。
ＧＦＰ−Ｔ（Ｇｅｎｅｒｉｃ  Ｆｒａｍｉｎｇ  Ｐｒｏｃｅｄｕｒｅ）：イーサネット（登録商標）やファイバ・チャネルなど各種データ・インタフェースを、ＳＯＮＥＴ／ＳＤＨ／ＯＴＮ伝送路で運ぶための手順を規定した仕様である。Ｅｔｈｅｒｎｅｔ（登録商標）のフレーム長は可変なのでＧＦＰでフレーミングする必要がある。
【００２６】
本実施形態に係るネットワーク試験装置における設定方法は、伝送信号表示手順と、クライアント信号表示手順と、試験手順と、を順に有する。
伝送信号表示手順では、信号処理部１２が、伝送信号の種類を表示部１３のコンボボックスＢ１に表示する。ここで、伝送信号は装置間インタフェースとして規格化された伝送信号であり、伝送信号の種類は例えばＯＴＵ１、ＯＴＵ２、ＯＴＵ２ｅ、ＯＴＵ２ｆ、ＯＴＵ１ｆ、ＯＴＵ３、ＯＴＵ３ｅ１、ＯＴＵ３ｅ２及びＯＴＵ４である。図３に、伝送信号の種類の表示例を示す。
【００２７】
コンボボックスＢ１に表示された伝送信号のうちの１つが入力部１１によって選択されると、信号処理部１２がクライアント信号表示手順を実行する。クライアント信号表示手順では、信号処理部１２が、クライアント信号の種類を表示部１３のコンボボックスＢ２に表示する。ここで、クライアント信号は、コンボボックスＢ１で選択された種類の伝送信号に載せることの可能な信号のみを表示する。図４に、クライアント信号の種類の表示例を示す。
【００２８】
伝送信号がＯＴＵ１の場合、コンボボックスＢ２には、例えば、ＰＲＢＳ（Ｐｓｅｕｄｏ−Ｒａｎｄｏｍ  Ｂｉｎａｒｙ  Ｓｅｑｕｅｎｃｅ）、ＧｂＥ（Ｇｉｇａｂｉｔ  Ｅｔｈｅｒｎｅｔ）（登録商標）、ＳＴＭ（Ｓｙｎｃｈｒｏｎｕｓ  Ｔｒａｎｓｐｏｒｔ  Ｍｏｄｕｌｅ）１、ＳＴＭ４及びＳＴＭ１６が表示される。
伝送信号がＯＴＵ２の場合、コンボボックスＢ２には、例えば、ＰＲＢＳ、ＳＴＭ６４、ＳＴＭ１６、ＳＴＭ４、ＳＴＭ１及びＧｂＥが表示される。伝送信号がＯＴＵ２の場合、コンボボックスＢ２には、さらにＦＣ（Ｆｉｂｅｒ  Ｃｈａｎｎｅｌ）４、ＦＣ８、ＣＰＲＩ（Ｃｏｍｍｏｎ  Ｐｕｂｌｉｃ  Ｒａｄｉｏ  Ｉｎｔｅｒｆａｃｅ）４、ＣＰＲＩ５及びＣＰＲＩ６を表示してもよい。
伝送信号がＯＴＵ２ｅの場合、コンボボックスＢ２には、１０ＧｂＥ及びＦＣ−１２００が表示される。
伝送信号がＯＴＵ２ｆ又はＯＴＵ１ｆの場合、コンボボックスＢ２には、例えば、ＦＣ−１２００が表示される。
伝送信号がＯＴＵ１ｅ、ＯＴＵ３ｅ１、ＯＴＵ３ｅ２又はＯＴＵ４の場合、コンボボックスＢ２には、例えば、１０ＧｂＥが表示される。
伝送信号がＯＴＵ３の場合、コンボボックスＢ２には、例えば、４０ＧｂＥが表示される。
【００２９】
ここで、ＰＲＢＳの表示は、ＰＲＢＳの多重化数すなわち多重化するレーン数と共に表示してもよい。例えば、ＯＴＵ２では、多重化数が４、１６又は６４の場合があるが、これらのいずれであるかが判別可能なように表示する。このとき、「ＰＲＢＳ  ｏｎ  ＯＰＵ０」、「ＰＲＢＳ  ｏｎ  ＯＰＵ１」、「ＰＲＢＳ  ｏｎ  ＯＰＵ２」のように多重化数を規格で表示する。これにより、設定項目を選択する回数を減らすことができるため、ユーザの負担を減らすことができる。
【００３０】
コンボボックスＢ２に表示されたクライアント信号の一覧のなかから１つのクライアント信号を選択することで、測定対象となる通信環境を特定することができる。例えば、コンボボックスＢ１でＯＴＵ１を選択し、コンボボックスＢ２でＳＴＭ１を選択した場合や、コンボボックスＢ１でＯＴＵ２を選択し、コンボボックスＢ２でＧｂＥを選択した場合である。このように、伝送信号とクライアント信号を選択することによって測定対象となるネットワークを特定することができる場合は、コンボボックスＢ２のクライアント信号の選択を確定した時点で、マッピング選択画面が終了する。
【００３１】
コンボボックスＢ２の選択によって通信環境の特定が可能なると、試験手順を実行する。試験手順では、信号処理部１２は、選択された伝送信号とクライアント信号で特定される通信環境に設定し、設定後の通信環境を用いてネットワーク試験を行う。ネットワーク試験装置９１の試験内容は任意である。
【００３２】
信号処理部１２は、通信装置９２に送信した信号又は通信装置９２から受信した信号に基づいて、解析を行ってもよい。例えば、通信装置９２が光トランシーバである場合、通信装置９２に電気信号を送信し、通信装置９２からの信号を受信する。これにより、全レーン及び各レーンごとのスキューマージンの試験を行うことができる。
【００３３】
また、通信装置９２に構築されたネットワークに対して信号を送信し、通信装置９２から受信した信号を解析してもよい。これにより、イーサネット／ＩＰ試験及びＯＴＮ試験を行うことができる。イーサネット／ＩＰ試験では、例えば、スループット、フレームロス、統計又はＢＥＲ試験を行う。ＯＴＮ試験では、エラー／アラーム試験又はＢＥＲ試験を行う。これにより、４０ＧｂＥと１００ＧｂＥを接続したネットワークや１００ＧｂＥとＯＴＵ３を接続したネットワークなどの任意のネットワーク建設時のパフォーマンスの検証を行うことができる。
【００３４】
また、通信装置９２に信号を送信するか、或いは通信装置９２から信号を受信することで、通信装置９２にイーサネット／ＩＰフレームを流したときの総合的な試験を行ってもよい。例えば、スループット、フレームロス、ＢＥＲ、各種統計カウンタ、ＲＦＣ２５４４試験を行う。
【００３５】
また、複数の通信装置９２間にネットワーク試験装置９１を接続し、通信装置９２を流れるデータにエラーを付加してもよい。これにより、エラーやアラームの試験を行うことができる。
【００３６】
本実施形態に係る発明では、ユーザの選択した伝送信号に搭載可能なクライアント信号のみをコンボボックスＢ２に表示するため、伝送信号のクライアント信号に使用可能であるか否かの知識がないユーザであっても簡単にクライアント信号を選択することができる。また、コンボボックスＢ２の一覧に表示するクライアント信号の種類が少なくなるため、ユーザはクライアント信号の選択が容易になる。
【００３７】
（実施形態２）
通信環境の設定のためには、伝送信号とクライアント信号に加えて多重化パラメータが必要な場合がある。そこで、本実施形態では、コンボボックスＢ３を表示する。
【００３８】
コンボボックスＢ３は、伝送信号及びクライアント信号で定められる第１の多重化パラメータの一覧を表示する。第１の多重化パラメータは、例えば、ＯＤＴＵ（Ｏｐｔｉｃａｌ  ｃｈａｎｎｅｌ  Ｄａｔａ  Ｔｒｉｂｕｔａｒｙ  Ｕｎｉｔ）１２、ＯＤＴＵ２．１、ＯＤＴＵ０１、ＯＤＴＵ２．ｔｓ又はＮｏｎｅである。ここで、ＯＤＴＵ０１、ＯＤＴＵ１２及びＯＤＴＵ２．１は、それぞれ２、４及び８個の信号を多重する方法である。ＯＤＴＵ０１はＯＤＵ０を選ぶＯＤＴＵであり、ＯＤＴＵ２．ｔｓはＯＤＵ  ｆｌｅｘを選ぶＯＤＴＵである。図５に第１の多重化パラメータの種類の表示例を示す。
【００３９】
ここで、第１の多重化パラメータがなくてもよい場合は、「Ｎｏｎｅ」を表示する。例えば、コンボボックスＢ１でＯＴＵ１を選択し、コンボボックスＢ２でＰＲＢＳを選択した場合、コンボボックスＢ３に「Ｎｏｎｅ」と「ＯＤＴＵ０１」が表示される。「Ｎｏｎｅ」が選択されると「ＰＲＢＳ  ｏｎ  ＯＰＵ１」に確定し、「ＯＤＴＵ０１」が選択されると「ＰＲＢＳ  ｏｎ  ＯＰＵ０」に確定する。「ＰＲＢＳ  ｏｎ  ＯＰＵ１」はＯＰＵ１にマッピングされたＰＲＢＳであり、「ＰＲＢＳ  ｏｎ  ＯＰＵ０」はＯＰＵ０にマッピングされたＰＲＢＳである。
【００４０】
第１の多重化パラメータは、ＰＴ（Ｐａｙｌｏａｄ  Ｔｙｐｅ）ごとに分かれていてもよい。例えば、コンボボックスＢ１でＯＴＵ２を選択し、コンボボックスＢ２でＰＲＢＳを選択した場合、コンボボックスＢ３にはＮｏｎｅ、ＯＤＴＵ１２及びＯＤＴＵ２．１を表示する。このとき、ＯＤＴＵ１２に代えて、ＯＤＴＵ１２（ＰＴ＝０ｘ２０）及びＯＤＴＵ１２（ＰＴ＝０ｘ２１）を表示してもよい。
【００４１】
ここで、ＰＴ＝２０はＡＭＰのみでマッピングするフレームを表し、ＰＴ＝２１はＡＭＰ又はＧＭＰの何れでのマッピングも可能なフレームを表す。ＰＴ＝０ｘ２０は、図６に示すように、サーバ側の信号を４分割し、その１個、例えばＴＳ＝３に多重化する信号を乗せる。ＰＴ＝０ｘ２１は、図７に示すように、サーバ側の信号を８分割し、その２個、例えばＴＳ＝３及び５に多重化する信号を乗せる。
【００４２】
図８に示すように、ＰＴ＝０ｘ２０及びＰＴ＝０ｘ２１のいずれかを選択するためのコンボボックスＢ５を、表示部１３に表示してもよい。
【００４３】
コンボボックスＢ３に表示された第１の多重化パラメータの一覧のなかから１つの第１の多重化パラメータを選択することで、測定対象となるネットワークを特定することができる。例えば、コンボボックスＢ１でＯＴＵ１を選択し、コンボボックスＢ２でＰＲＢＳを選択し、コンボボックスＢ３でＯＤＴＵ０１を選択した場合や、コンボボックスＢ１でＯＴＵ２を選択し、コンボボックスＢ２でＳＴＭ４を選択し、コンボボックスＢ３でＯＤＴＵ１２を選択した場合である。
【００４４】
伝送信号、クライアント信号及び第１の多重化パラメータを選択しただけでは、測定対象となるネットワークを特定できない場合がある。そこで、そのような場合には、コンボボックスＢ４を表示する。コンボボックスＢ４は、伝送信号、クライアント信号及び第１の多重化パラメータで定められる第２の多重化パラメータの一覧を表示する。第２の多重化パラメータは、例えば、ＯＤＴＵ０１又はＮｏｎｅである。図８に、第２の多重化パラメータの種類の表示例を示す。
【００４５】
ここで、第２の多重化パラメータがなくてもよい場合は、「Ｎｏｎｅ」を表示する。例えば、コンボボックスＢ１でＯＴＵ２を選択し、コンボボックスＢ２でＰＲＢＳを選択し、コンボボックスＢ３でＯＤＴＵ１２を選択した場合、「Ｎｏｎｅ」と「ＯＤＴＵ０１」を表示する。「Ｎｏｎｅ」が選択されるとＰＲＢＳ  ｏｎ  ＯＰＵ１に確定し、「ＯＤＴＵ０１」が選択されるとＰＲＢＳ  ｏｎ  ＯＰＵ０に確定する。
【００４６】
本実施形態に係る発明では、伝送信号及びクライアント信号の組み合わせで定められる多重化パラメータの種類のみをコンボボックスＢ３に表示するとともに、さらに必要がある場合にはコンボボックスＢ４又はＢ５に多重化パラメータの種類を表示する。このため、第１の多重化パラメータや第２の多重化パラメータについての知識がないユーザであっても、簡単に測定対象となるネットワークを設定することができる。
【００４７】
図９に、実施例１及び実施例２に係る表示例を示す。
【実施例１】
【００４８】
コンボボックスＢ１にＯＴＵ１及びＯＴＵ２を表示する。
コンボボックスＢ１でＯＴＵ１が選択されると、コンボボックスＢ２にＰＲＢＳ、ＧｂＥ、ＳＴＭ１、ＳＴＭ４及びＳＴＭ１６を表示する。
コンボボックスＢ２でＧｂＥ、ＳＴＭ１、ＳＴＭ４及びＳＴＭ１６のいずれかが選択されると、設定画面を終了する。
【００４９】
コンボボックスＢ２でＰＲＢＳが選択されると、コンボボックスＢ３にＮｏｎｅ及びＯＤＴＵ０１を表示する。
コンボボックスＢ３でＮｏｎｅ又はＯＤＴＵ０１が選択されると、設定画面を終了する。
【実施例２】
【００５０】
コンボボックスＢ１にＯＴＵ１及びＯＴＵ２を表示する。
コンボボックスＢ１でＯＴＵ２が選択されると、コンボボックスＢ２にＰＲＢＳ、ＳＴＭ６４、ＳＴＭ１６、ＳＴＭ４、ＳＴＭ１及びＧｂＥを表示する。
コンボボックスＢ２でＳＴＭ６４又はＧｂＥが選択されると、設定画面を終了する。
【００５１】
コンボボックスＢ２でＳＴＭ１６が選択されると、コンボボックスＢ３にＰＴ＝０ｘ２０及びＰＴ＝０ｘ２１を表示する。
コンボボックスＢ３でＰＴ＝０ｘ２０又はＰＴ＝０ｘ２１が選択されると、設定画面を終了する。
【００５２】
コンボボックスＢ２でＳＴＭ４又はＳＴＭ１が選択されると、コンボボックスＢ３にＯＤＴＵ１２及びＯＤＴＵ２．１を表示する。
コンボボックスＢ３でＯＤＴＵ１２又はＯＤＴＵ２．１が選択されると、設定画面を終了する。
【００５３】
コンボボックスＢ２でＰＲＢＳが選択されると、コンボボックスＢ３にＮｏｎｅ、ＯＤＴＵ１２及びＯＤＴＵ２．１を表示する。
コンボボックスＢ３でＮｏｎｅ又はＯＤＴＵ２．１が選択されると、設定画面を終了する。Ｎｏｎｅを選択するとＰＲＢＳ  ｏｎ  ＯＰＵ２に確定し、ＯＤＴＵ２．１を選択するとＰＲＢＳ  ｏｎ  ＯＰＵ０に確定する。
【００５４】
コンボボックスＢ２でＰＲＢＳが選択されると、コンボボックスＢ３にＮｏｎｅ、ＯＤＴＵ１２及びＯＤＴＵ２．１を表示する。
コンボボックスＢ３でＯＤＴＵ１２が選択されると、コンボボックスＢ４にＮｏｎｅ、ＯＤＴＵ０１、ＰＴ＝０ｘ２０及びＰＴ＝０ｘ２１を表示する。
コンボボックスＢ４でＮｏｎｅ、ＯＤＴＵ０１、ＰＴ＝０ｘ２０又はＰＴ＝０ｘ２１が選択されると、設定画面を終了する。Ｎｏｎｅを選択するとＰＲＢＳ  ｏｎ  ＯＰＵ１に確定し、ＯＤＴＵ０１を選択するとＰＲＢＳ  ｏｎ  ＯＰＵ０に確定する。
【００５５】
図１０に、実施例３及び実施例４に係る表示例を示す。
【実施例３】
【００５６】
コンボボックスＢ１にＯＴＵ１及びＯＴＵ２を表示する。
コンボボックスＢ１でＯＴＵ１が選択されると、コンボボックスＢ２にＧｂＥ、ＳＴＭ１、ＳＴＭ４、ＳＴＭ１６、ＰＲＢＳ  ｏｎ  ＯＰＵ０及びＰＲＢＳ  ｏｎ  ＯＰＵ１を表示する。
コンボボックスＢ２でＧｂＥ、ＳＴＭ１、ＳＴＭ４、ＳＴＭ１６、ＰＲＢＳ  ｏｎ  ＯＰＵ０及びＰＲＢＳ  ｏｎ  ＯＰＵ１のいずれかが選択されると、設定画面を終了する。
【００５７】
本実施例のように、ＰＲＢＳを選択した後に、コンボボックスＢ３でＮｏｎｅ又はＯＤＴＵ０１を選択させる代わりに、コンボボックスＢ２にＰＲＢＳ  ｏｎ  ＯＰＵ０及びＰＲＢＳ  ｏｎ  ＯＰＵ１を表示する。これにより、コンボボックスＢ２における選択までで、ＰＲＢＳ  ｏｎ  ＯＰＵ０及びＰＲＢＳ  ｏｎ  ＯＰＵ１の設定を完了させることができる。
【実施例４】
【００５８】
コンボボックスＢ１にＯＴＵ１及びＯＴＵ２を表示する。
コンボボックスＢ１でＯＴＵ２が選択されると、コンボボックスＢ２にＳＴＭ６４、ＳＴＭ１６、ＳＴＭ４、ＳＴＭ１、ＧｂＥ、ＰＲＢＳ  ｏｎ  ＯＰＵ０、ＰＲＢＳ  ｏｎ  ＯＰＵ１及びＰＲＢＳ  ｏｎ  ＯＰＵ２を表示する。
コンボボックスＢ２でＳＴＭ６４、ＧｂＥ又はＰＲＢＳ  ｏｎ  ＯＰＵ２が選択されると、設定画面を終了する。
【００５９】
コンボボックスＢ２でＳＴＭ１６又はＰＲＢＳ  ｏｎ  ＯＰＵ１が選択されると、コンボボックスＢ３にＰＴ＝０ｘ２０及びＰＴ＝０ｘ２１を表示する。
コンボボックスＢ３でＰＴ＝０ｘ２０又はＰＴ＝０ｘ２１が選択されると、設定画面を終了する。
【００６０】
コンボボックスＢ２でＳＴＭ４、ＳＴＭ１又はＰＲＢＳ  ｏｎ  ＯＰＵ０が選択されると、コンボボックスＢ３にＯＤＴＵ１２及びＯＤＴＵ２．１を表示する。
コンボボックスＢ３でＯＤＴＵ１２又はＯＤＴＵ２．１が選択されると、設定画面を終了する。
【００６１】
本実施例のように、ＰＲＢＳを選択した後に、コンボボックスＢ３でＮｏｎｅ、ＯＤＴＵ１２又はＯＤＴＵ２．１を選択させる代わりに、コンボボックスＢ２にＰＲＢＳ  ｏｎ  ＯＰＵ０、ＰＲＢＳ  ｏｎ  ＯＰＵ１及びＰＲＢＳ  ｏｎ  ＯＰＵ２を表示する。これにより、コンボボックスＢ２における選択まででＰＲＢＳ  ｏｎ  ＯＰＵ２の設定を完了させることができる。また、コンボボックスＢ３における選択までで、ＯＴＵ２のすべての設定を完了することができる。
【産業上の利用可能性】
【００６２】
本発明は情報通信産業に適用することができる。
【符号の説明】
【００６３】
１１：入力部
１２：信号処理部
１３：表示部
９１：ネットワーク試験装置
９２：通信装置
【図１】
2014183429.tif 000003
【図２】
2014183429.tif 000004
【図３】
2014183429.tif 000005
【図４】
2014183429.tif 000006
【図５】
2014183429.tif 000007
【図６】
2014183429.tif 000008
【図７】
2014183429.tif 000009
【図８】
2014183429.tif 000010
【図９】
2014183429.tif 000011
【図１０】
2014183429.tif 000012